(57)【要約】      （修正有）【課題】ロック操作が便利なファスナースライダーセットを提供する。【解決手段】ファスナースライダーセットは、第１ファスナースライダー１００ａと、第２ファスナースライダー２００ａとを含む。第１ファスナースライダーは、第１スライドウェッジ１１０ａと、一端が第１スライドウェッジに接続され、係合部品１２３ａを含む第１引手１２０ａとを含む。第２ファスナースライダーは、第２スライドウェッジ２１０ａと、一端が第２スライドウェッジに接続され、係合穴２２３ａと係合装置２２４ａとを含む第２引手２２０ａとを含む。第１スライドウェッジ及び第２スライドウェッジが隣り合う位置に移動すると、第１引手は、係合部品が係合穴に入り込むまで移動し、係合装置により係合部品の係合及び解放を制御することができる。【選択図】図１
0003229049.tif 000002
【実用新案登録請求の範囲】
【請求項１】
第１スライドウェッジと、
一端が当該第１スライドウェッジに接続され、係合部品を含む第１引手と
を含む第１ファスナースライダーと、
第２スライドウェッジと、
一端が当該第２スライドウェッジに接続され、係合穴と係合装置とを含む第２引手と、
を含む第２ファスナースライダーと
を含み、
当該第１スライドウェッジ及び当該第２スライドウェッジが隣り合う位置に移動すると、当該第１引手は、当該係合部品が当該係合穴に入り込むまで移動し、当該係合装置により当該係合部品の係合及び解放を制御することができる、ファスナースライダーセット。
【請求項２】
当該第２引手は、当該係合部品が当該係合穴に入り込むと、当該係合部品を当該係合穴にロック可能である錠前をさらに含む、請求項１に記載のファスナースライダーセット。
【請求項３】
当該錠前は、当該第２引手が当該第２スライドウェッジに接続される他端に設けられたキャラクターホイールを含むダイヤル錠であり、当該第２引手が当該第２スライドウェッジに接続される他端には、開口が設けられており、当該キャラクターホイールは、少なくとも一部が当該開口から露出する、請求項２に記載のファスナースライダーセット。
【請求項４】
当該第１引手は、第１引手の第１側面と、当該第１引手の第１側面とは反対側に位置する第１引手の第２側面とをさらに含み、当該係合部品は、当該第１引手の第２側面に凸設され、当該第１引手が当該第１スライドウェッジに接続される他端に隣接し、
当該第２引手は、第２引手の第１側面と、当該第２引手の第１側面とは反対側に位置する第２引手の第２側面とをさらに含み、当該係合穴は、当該第２引手の第１側面に設けられ、
当該第１引手は、当該第１引手の第２側面を当該第２引手の第１側面に当接させて、当該係合部品が当該係合穴に入り込むまで回転することができる、請求項１に記載のファスナースライダーセット。
【請求項５】
当該第２引手の第１側面は、凹部をさらに有し、当該第１引手は、当該第１引手の第２側面を当該第２引手の第１側面に当接させるまで回転すると、当該第１引手は、少なくとも一部が当該凹部に収容され、当該第２引手の第１側面の当該凹部以外の部分を当該第１引手の第１側面と面一させる、請求項４に記載のファスナースライダーセット。
【請求項６】
当該係合部品は、貫通穴を有し、当該係合穴には、当該係合部品の貫通穴に出入り自在に移動可能なラッチが設けられており、当該係合装置は、当該ラッチの移動を制御することで当該係合部品が当該係合穴に入り込んだ後の係合及び解放を制御することができる、請求項１に記載のファスナースライダーセット。
【請求項７】
当該第１引手は、第１引手の貫通穴をさらに含み、
当該第２スライドウェッジは、当該第２引手に接続された第２接続部をさらに含み、
当該第１引手が当該第１引手の第２側面を当該第２引手の第１側面に当接させるまで回転すると、当該第２接続部は、当該第１引手の貫通穴内に位置する、請求項１に記載のファスナースライダーセット。
【請求項８】
当該係合穴が貫通穴である、請求項１に記載のファスナースライダーセット。
【請求項９】
当該係合部品は、当該貫通穴を介して当該第２引手を抜ける、請求項８に記載のファスナースライダーセット。
【請求項１０】
当該第１ファスナースライダー及び当該第２ファスナースライダーは、Ｘ−Ｙ平面に設けられ、Ｘ軸に沿って延伸するファスナーに移動可能に係合され、当該第１引手は、当該第１スライドウェッジに対してＸ−Ｚ平面に沿って回転することができ、当該第２引手は、当該第２スライドウェッジに対してＸ−Ｚ平面に沿って回転することができ、Ｘ、Ｙ、Ｚ軸が直交する、請求項１に記載のファスナースライダーセット。
【考案の詳細な説明】
【技術分野】
【０００１】
本考案は、ファスナースライダーセットに関する。
【背景技術】
【０００２】
荷物の安全を確保するために、人々は、外出時に、通常、錠前を用いてケースのファスナーをロックする。ケースは、スーツケース、キャリーバック及びブリーフケースを含むが、それらに限定されていない。一般的な錠前は、文字合せ錠又はキーロックなどを含み、使用者は、文字合せ錠の文字ホイールを正確なアンロックパスワード位置に動かせ、又はキーを挿入する等によりアンロックしてケースを開ける。
【０００３】
ところで、錠前は、通常、ケースのファスナーと組み合わせて使うものであり、ファスナーが閉じたときに、ファスナースライダーを錠前の鍵穴内に挿着又は嵌着させることができ、続いて、前記錠前の鍵穴内を変位作動可能なホゾ又は留め具をファスナースライダーの穿孔内に通すことにより、ロック効果を達成する。開けようとするときに、まず錠前をアンロックし、ホゾ又は留め具とファスナースライダーの穿孔とを離すことができ、使用者は、ファスナースライダーを鍵穴から離し、それを引いてファスナーを分離させることで、ケースを開けることができる。しかしながら、錠前がケースに固定されるため、ロックするためにファスナースライダーを錠前の近傍に移動させなければならず、操作が不便である。
【考案の概要】
【０００４】
本考案に係るファスナースライダーセットは、第１ファスナースライダーと、第２ファスナースライダーとを含む。第１ファスナースライダーは、第１スライドウェッジと、一端が第１スライドウェッジに接続され、係合部品を含む第１引手とを含む。第２ファスナースライダーは、第２スライドウェッジと、一端が第２スライドウェッジに接続され、係合穴と係合装置とを含む第２引手とを含む。第１スライドウェッジ及び第２スライドウェッジが隣り合う位置に移動すると、第１引手は、係合部品が係合穴に入り込むまで移動し、係合装置により係合部品の係合及び解放を制御することができる。
【０００５】
本考案の実施例において、第２引手は、係合部品が係合穴に入り込むと、係合部品を係合穴にロック可能である錠前をさらに含む。
【０００６】
本考案の実施例において、錠前は、第２引手が第２スライドウェッジに接続される他端に設けられたキャラクターホイールを含むダイヤル錠であり、第２引手が第２スライドウェッジに接続される他端には、開口が設けられており、キャラクターホイールは、少なくとも一部が開口から露出する。
【０００７】
本考案の実施例において、第１引手は、第１引手の第１側面と、第１引手の第１側面とは反対側に位置する第１引手の第２側面とをさらに含み、係合部品は、第１引手の第２側面に凸設され、第１引手が第１スライドウェッジに接続される他端に隣接する。第２引手は、第２引手の第１側面と、第２引手の第１側面とは反対側に位置する第２引手の第２側面とをさらに含み、係合穴は、第２引手の第１側面に設けられる。第１引手は、第１引手の第２側面を第２引手の第１側面に当接させて、係合部品が係合穴に入り込むまで回転することができる。
【０００８】
本考案の実施例において、第２引手の第１側面は、凹部をさらに有し、第１引手は、第１引手の第２側面を第２引手の第１側面に当接させるまで回転すると、第１引手は、少なくとも一部が凹部に収容され、第２引手の第１側面の凹部以外の部分を第１引手の第１側面と面一させる。
【０００９】
本考案の実施例において、係合部品は、貫通穴を有し、係合穴には、係合部品の貫通穴に出入り自在に移動可能なラッチが設けられており、係合装置は、ラッチの移動を制御することで係合部品が係合穴に入り込んだ後の係合及び解放を制御することができる。
【００１０】
本考案の実施例において、第１引手は、第１引手の貫通穴をさらに含み、第２スライドウェッジは、第２引手に接続された第２接続部をさらに含む。第１引手が第１引手の第２側面を第２引手の第１側面に当接させるまで回転すると、第２接続部は、第１引手の貫通穴内に位置する。
【００１１】
本考案の実施例において、係合穴が貫通穴である。
【００１２】
本考案の実施例において、係合部品は、貫通穴を介して第２引手を抜ける。
【００１３】
本考案の実施例において、第１ファスナースライダー及び第２ファスナースライダーは、Ｘ−Ｙ平面に設けられ、Ｘ軸に沿って延伸するファスナーに移動可能に係合され、第１引手は、第１スライドウェッジに対してＸ−Ｚ平面に沿って回転することができ、第２引手は、第２スライドウェッジに対してＸ−Ｚ平面に沿って回転することができ、Ｘ、Ｙ、Ｚ軸が直交する。
【図面の簡単な説明】
【００１４】
【図１】本考案に係るファスナースライダーセットの実施例の模式図である。
【図２】本考案に係るファスナースライダーセットの実施例の模式図である。
【図３】本考案に係るファスナースライダーセットの実施例の模式図である。
【図４】本考案に係るファスナースライダーセットにおける係合部品が係合穴から離れる実施例の模式図である。
【図５】本考案に係るファスナースライダーセットにおける第１ファスナースライダーと第２ファスナースライダーとが互いに離れる実施例の模式図である。
【図６】本考案に係るファスナースライダーセットの異なる実施例の模式図である。
【図７】本考案に係るファスナースライダーセットの異なる実施例の模式図である。
【図８】本考案に係るファスナースライダーセットの異なる実施例の模式図である。
【図９】本考案に係るファスナースライダーセットの異なる実施例の模式図である。
【図１０】本考案に係るファスナースライダーセットの異なる実施例の模式図である。
【図１１】本考案に係るファスナースライダーセットの異なる実施例の模式図である。
【図１２】本考案に係るファスナースライダーセットの異なる実施例の模式図である。
【図１３】本考案に係るファスナースライダーセットの異なる実施例の模式図である。
【図１４】本考案に係るファスナースライダーセットの異なる実施例の模式図である。
【図１５】本考案に係るファスナースライダーセットの異なる実施例の模式図である。
【考案を実施するための形態】
【００１５】
図１に示す実施例のように、本考案に係るファスナースライダーセット９００ａは、第１ファスナースライダー１００ａと、第２ファスナースライダー２００ａとを含む。第１ファスナースライダー１００ａは、第１スライドウェッジ１１０ａと、一端が第１スライドウェッジ１１０ａに接続され、係合部品１２３ａを含む第１引手１２０ａとを含む。第２ファスナースライダー２００ａは、第２スライドウェッジ２１０ａと、一端が第２スライドウェッジ２１０ａに接続され、係合穴２２３ａと係合装置２２４ａとを含む第２引手２２０ａとを含む。さらに、本考案に係るファスナースライダーセット９００ａの第１ファスナースライダー１００ａ及び第２ファスナースライダー２００ａは、Ｘ−Ｙ平面に設けられ、Ｘ軸に沿って延伸するファスナー８００ａに移動可能に係合され、第１引手１２０ａは、第１スライドウェッジ１１０ａに対してＸ−Ｚ平面に沿って回転することができ、第２引手２２０ａは、第２スライドウェッジ２１０ａに対してＸ−Ｚ平面に沿って回転することができ、Ｘ、Ｙ、Ｚ軸が直交する。しかしながら、異なる実施例において、第１引手１２０ａ、第２引手２２０ａは、異なる方式で又は方向へ移動することができる。
【００１６】
より具体的には、図１〜３に示す実施例のように、第１引手１２０ａは、第１引手の第１側面１２１ａと、第１引手の第１側面１２１ａとは反対側に位置する第１引手の第２側面１２２ａとを含み、係合部品１２３ａは、第１引手の第２側面１２２ａに凸設され、第１引手１２０ａが第１スライドウェッジ１１０ａに接続される他端に隣接する。また、第１スライドウェッジ１１０は、第１接続部１１１ａを有し、第１引手１２０ａの一端は、環状部１８０ａを有し、環状部１８０ａの一部は、第１接続部１１１ａに接続され、第１引手１２０ａを第１スライドウェッジ１１０ａに対してＸ−Ｚ平面に沿って回転させることができる。第２引手２２０ａは、第２引手の第１側面２２１ａと、第２引手の第１側面２２１ａとは反対側に位置する第２引手の第２側面２２２ａとを含み、係合穴２２３ａは、第２引手の第１側面２２１ａに設けられる。また、第２スライドウェッジ２１０ａは、第２接続部２１１ａを有し、第２引手２２０ａの一端は、第２接続部２１１ａに接続され、第２引手２２０ａを第２スライドウェッジ２１０ａに対してＸ−Ｚ平面に沿って回転させることができる。よって、第１引手１２０ａは、第１引手の第２側面１２２ａを第２引手の第１側面２２１ａに当接させ、係合部品１２３ａが係合穴２２３ａに入り込むまで回転することができる。
【００１７】
図２及び図３に示す実施例のように、第１スライドウェッジ１１０ａ及び第２スライドウェッジ２１０ａが隣り合う位置に移動すると、第１引手１２０ａは、係合部品１２３ａが係合穴２２３ａに入り込むまで移動し、係合装置２２４ａにより係合部品１２３ａの係合及び解放を制御することができる。また、図１に示す実施例のように、係合部品１２３ａは、貫通穴を有し、係合穴２２３ａには、係合部品１２３ａの貫通穴に出入り自在に移動可能なラッチ２２６ａが設けられており、係合装置２２４ａは、ラッチ２２６ａの移動を制御することで係合部品１２３ａが係合穴２２３ａに入り込んだ後の係合及び解放を制御することができる。しかしながら、異なる実施例において、係合部品１２３ａは、設計、製造、使用上の要求に応じて、例えば、フック又は凹みを有するタングなどに変更することができ、ラッチ２２６ａは、対応的に変更して係合効果を達成することができる。
【００１８】
さらに、図２に示す実施例のように、第１スライドウェッジ１１０ａ及び第２スライドウェッジ２１０ａは、隣り合う位置に移動し、第１引手１２０ａは、係合部品１２３ａが係合穴２２３ａに入り込むまで移動すると、係合装置２２４ａは、係合部品１２３ａを係合穴２２３ａ内に係合させるように制御することができ、つまり、係合部品１２３ａが係合穴２２３ａから離れることを制限することにより、第１ファスナースライダー１００ａと第２ファスナースライダー２００ａとが互いに離れることを制限し、ファスナー８００ａを開けることを回避する効果を達成する。他方では、図４に示す実施例のように、係合装置２２４ａは、係合部品１２３ａを係合穴２２３ａから解放させるように制御することができ、つまり、係合部品１２３ａは、係合穴２２３ａから離れることができる。このとき、図５に示す実施例のように、第１ファスナースライダー１００ａと第２ファスナースライダー２００ａとは、互いに離れ、ファスナー８００ａを開けることができる。
【００１９】
図１に示す実施例のように、第２引手２２０ａは、錠前２２５ａをさらに含んでもよい。係合部品１２３ａが係合穴２２３ａに入り込むと、錠前２２５ａは、係合部品１２３ａを係合穴２２３ａにロックすることができる。異なる角度で見ると、このとき、第１ファスナースライダー１００ａを、第２ファスナースライダー２００ａにロックすることができ、ファスナースライダーセット９００ａは、全体としてファスナースライダーロックと見なすことができ、ロックすることでファスナー８００ａを開けることを回避する効果を有する。また、錠前２２５ａは、第２引手２２０ａが第２スライドウェッジ２１０ａに接続される他端に設けられたキャラクターホイールを含むダイヤル錠であり、第２引手２２０ａが第２スライドウェッジ２１０ａに接続される他端には、開口２２８ａが設けられており、キャラクターホイールは、少なくとも一部が開口２２８ａから露出することで、使用者は、キャラクターホイールの文字位置を目視で観察して、操作を容易にする。異なる実施例において、錠前２２５ａは、複数のキャラクターホイールを使用してもよく、他のタイプのロックを採用してもよく、ダイヤル錠に限定されない。
【００２０】
図１〜３に示す実施例のように、第２引手の第１側面２２１ａは、凹部２２７ａをさらに有する。第１引手１２０ａは、第１引手の第２側面１２２ａを第２引手の第１側面２２１ａに当接させるまで回転すると、第１引手１２０ａは、少なくとも一部が凹部２２７ａに収容され、第２引手の第１側面２２１ａの凹部２２７ａ以外の部分を第１引手の第１側面１２１ａと面一させる。異なる角度で見ると、第２引手の第１側面２２１ａは、段差を有し、低い部分は、凹部２２７ａであり、高い部分は、第１引手の第２側面１２２ａが第２引手の第１側面２２１ａに当接するときに、第１引手の第１側面１２１ａと面一する。
【００２１】
図６〜１５に示す実施例のように、第１ファスナースライダー及び第２ファスナースライダーは、設計、製造、使用上の要求に応じて変更して、異なるタイプのファスナースライダーセットを構成することができる。図６〜１０に示す実施例のように、このファスナースライダーセット９００ｂにおいて、第１引手１２０ｂは、第１引手の貫通穴１２４をさらに含み、第２スライドウェッジ２１０ｂは、第２引手２２０ｂに接続された第２接続部２１１ｂを含む。図７に示す実施例のように、第１引手１２０ｂは、第１引手の第２側面１２２ｂを第２引手の第１側面２２１ｂに当接させる（図６を参照）まで回転すると、第２接続部２１１ｂは、第１引手の貫通穴１２４内に位置する。これよって、第１引手の第２側面１２２ｂが第２引手の第１側面２２１ｂへ当接する場合の第２接続部２１１ｂの阻害を低下させることができる。
【００２２】
図１１〜１５に示す実施例のように、このファスナースライダーセット９００ｃにおいて、係合穴２２３ｃは貫通穴である。より具体的には、係合穴２２３ｃは、第２引手２２０ｃを貫通し、つまり、第２引手の第１側面２２１ｃから第２引手の第２側面２２２ｃに連通する。係合部品１２３ｃは、貫通穴を介して第２引手２２０ｃを抜けることができる。それにより、係合部品１２３ｃを大きくすることで、係合部品１２３ｃが大きな穿孔を有し、係合穴２２３ｃにおけるラッチなどの物品と係合しやすくなる。
【００２３】
前記説明及び図面は、本考案の好ましい実施例を既に開示したが、様々な追加、多くの変更及び置き換えは、添付された実用新案登録請求の範囲に限定された本考案原理の精神及び範囲から逸脱することなく、本考案の好ましい実施例に使用可能であると理解しなければならない。本考案の属する技術分野に精通している一般的な技術者は、本考案が多くの形式、構造、配置、比率、材料、素子及び部品の変更に使用可能であることを理解することができる。したがって、本明細書に開示された実施例は、本考案を説明するためのものであり、本考案を制限するためのものではない。本考案の範囲は、添付された実用新案登録請求の範囲により限定され、その合法な均等物を含むべきであり、前記説明に限定されていない。
【符号の説明】
【００２４】
１００ａ: 第１ファスナースライダー
１００ｂ: 第１ファスナースライダー
１００ｃ: 第１ファスナースライダー
１１０ａ: 第１スライドウェッジ
１１０ｂ: 第１スライドウェッジ
１１０ｃ: 第１スライドウェッジ
１１１ａ: 第１接続部
１１１ｂ: 第１接続部
１１１ｃ: 第１接続部
１２０ａ: 第１引手
１２０ｂ: 第１引手
１２０ｃ: 第１引手
１２１ａ: 第１引手の第１側面
１２１ｂ: 第１引手の第１側面
１２１ｃ: 第１引手の第１側面
１２２ａ: 第１引手の第２側面
１２２ｂ: 第１引手の第２側面
１２２ｃ: 第１引手の第２側面
１２３ａ: 係合部品
１２３ｂ: 係合部品
１２３ｃ: 係合部品
１２４: 第１引手の貫通穴
１８０ａ: 環状部
１８０ｂ: 環状部
１８０ｃ: 環状部
２００ａ: 第２ファスナースライダー
２００ｂ: 第２ファスナースライダー
２００ｃ: 第２ファスナースライダー
２１０ａ: 第２スライドウェッジ
２１０ｂ: 第２スライドウェッジ
２１０ｃ: 第２スライドウェッジ
２１１ａ: 第２接続部
２１１ｂ: 第２接続部
２１１ｃ: 第２接続部
２２０ａ: 第２引手
２２０ｂ: 第２引手
２２０ｃ: 第２引手
２２１ａ: 第２引手の第１側面
２２１ｂ: 第２引手の第１側面
２２１ｃ: 第２引手の第１側面
２２２ａ: 第２引手の第２側面
２２２ｂ: 第２引手の第２側面
２２２ｃ: 第２引手の第２側面
２２３ａ: 係合穴
２２３ｂ: 係合穴
２２３ｃ: 係合穴
２２４ａ: 係合装置
２２４ｂ: 係合装置
２２４ｃ: 係合装置
２２５ａ: 錠前
２２５ｂ: 錠前
２２５ｃ: 錠前
２２６ａ: ラッチ
２２７ａ: 凹部
２２７ｂ: 凹部
２２７ｃ: 凹部
２２８ａ: 開口
２８０ａ: 環状部
２８０ｂ: 環状部
２８０ｃ: 環状部
８００ａ: ファスナー
９００ａ: ファスナースライダーセット
９００ｂ: ファスナースライダーセット
９００ｃ: ファスナースライダーセット
Ｘ: Ｘ軸
Ｙ: Ｙ軸
Ｚ: Ｚ軸
【図１】
0003229049.tif 000003
【図２】
0003229049.tif 000004
【図３】
0003229049.tif 000005
【図４】
0003229049.tif 000006
【図５】
0003229049.tif 000007
【図６】
0003229049.tif 000008
【図７】
0003229049.tif 000009
【図８】
0003229049.tif 000010
【図９】
0003229049.tif 000011
【図１０】
0003229049.tif 000012
【図１１】
0003229049.tif 000013
【図１２】
0003229049.tif 000014
【図１３】
0003229049.tif 000015
【図１４】
0003229049.tif 000016
【図１５】
0003229049.tif 000017